(57)【要約】【課題】本発明は、不正な遊技媒体（例えば、メダル）の選別を強化すると共に、遊技媒体の引き抜きを的確に防止することができる。【解決手段】本発明は、閉状態になることにより通路に沿って流下するメダル３０の進行を停止する第一ゲート５０ｅと、閉状態になることによりメダル３０の引き抜きを防止する第二ゲート５０ｆと、通路上にあるメダル３０を検知する遊技媒体検知部５０ｈと、遊技媒体検知部５０ｈの検知に基づいて、第一ゲート５０ｅで停止されたメダル３０に記憶されている遊技情報を取得する遊技情報取得部４２と、遊技情報取得部４２で取得された遊技情報に含まれる識別子に基づいて、識別子の認証を実行する認証実行部４３と、認証実行部４３で実行された認証の結果に応じて、第一ゲート５０ｅを開状態となるように制御すると共に、第二ゲート５０ｆを閉状態となるように制御する認証制御部４１とを備える。【選択図】      図３
2004329319.tif 000002
【特許請求の範囲】
【請求項１】
所定の遊技機において投入金額に応じた遊技を行うための価値又は所定の識別子を含む遊技情報が記憶された遊技媒体を払出口から払い出して遊技者に貸し出す遊技媒体貸出機であって、
投入口から前記遊技媒体を投入する方向に対して奥側に開閉可能に設けられ、閉状態になることにより通路に沿って流下する前記遊技媒体の進行を停止する第一ゲートと、
前記遊技媒体を投入する方向に対して前記第一ゲートよりも手前側に開閉可能に設けられ、閉状態になることにより前記遊技媒体の引き抜きを防止する第二ゲートと、
前記通路上にある前記遊技媒体を検知する遊技媒体検知部と、
前記遊技媒体検知部の検知に基づいて、第一ゲートで停止された前記遊技媒体に記憶されている前記遊技情報を取得する遊技情報取得部と、
前記遊技情報取得部で取得された前記遊技情報に含まれる前記識別子に基づいて、該識別子の認証を実行する認証実行部と、
前記認証実行部で実行された認証の結果に応じて、前記第一ゲートを開状態となるように制御すると共に、前記第二ゲートを閉状態となるように制御するゲート制御部と
を備えることを特徴とする遊技媒体貸出機。
【請求項２】
前記認証実行部で実行された認証の結果に応じて、該認証の結果を報知する報知手段を有することを特徴とする請求項１に記載の遊技媒体貸出機。
【発明の詳細な説明】
【０００１】
【発明の属する技術分野】
本発明は、所定の遊技機において投入金額に応じた遊技を行うための価値又は所定の識別子を含む遊技情報が記憶された遊技媒体を払出口から払い出して遊技者に貸し出す遊技媒体貸出機に関する。
【０００２】
【従来の技術】
従来より、メダルゲーム機を含む遊技機は、遊技機に関する仕様を定めた法令により、遊技機に直接紙幣を投入できるようにし、この投入された紙幣により遊技を行えるようにしてはいけないことになっている。このため、遊技者は、遊技機を利用する際には、遊技機とは別に設けられた遊技媒体貸出機から紙幣の額に応じた遊技媒体に一旦交換し、交換した遊技媒体を用いる必要がある。
【０００３】
この遊技媒体貸出機は、紙幣や硬貨等を受付口から受け付けることにより、遊技媒体（例えば、メダル）の貸し出しを行うものである。従来の遊技機の中には、遊技者の利便性を向上させるため、遊技媒体貸出機を遊技機の側面に取り付けたものがある。なお、以下では遊技媒体をメダルとして説明する。
【０００４】
上述したような遊技媒体貸出機付き遊技機においては、先ず、遊技媒体貸出機に紙幣が投入されると、その紙幣の額に応じたメダル（例えば、メダルを特定するための識別子を含む遊技情報が記憶されたメダル）が払い出される。そして、そのメダルが遊技機に投入されると、そのメダルに記憶された遊技情報が読み出され、読み出された遊技情報の認証が実行される。この認証が成立した後は、遊技者は、投入されたメダルの価値に応じてゲームを行うことができる。
【０００５】
一方、従来から、コインセレクタが遊技機に備えられている（例えば、特許文献１参照）。このコインセレクタは、投入されるメダルの径により不正メダルを選別するものであり、傾斜したメダル通路の途中に正規のメダル径よりやや小さい幅の開口が形成され、正規のメダルより径の小さいメダルはこのメダル通路を通過する際にその開口から落下し、返却口から排出される。
【０００６】
また、投入口側には、投入口から投入されたメダルの引き抜きを防止することのできる弁が備えられている。これらのコインセレクタ及び弁が遊技媒体貸出機に用いられれば、遊技媒体貸出機は、不正メダルの選定や、メダルの引き抜き防止を行うことができる。このように、不正なメダルの選定や、メダルの引き抜き防止を行う機構（不正防止機構）を設けるスペースに余裕があれば問題はない。
【０００７】
【特許文献１】
特開平１１−５３６１０号公報（第３−４頁、第１図）
【０００８】
【発明が解決しようとする課題】
しかしながら、遊技媒体貸出機のように、上記不正防止機構を設けるスペースに余裕がなく、上記不正防止機構が遊技媒体貸出機に設けられない場合には、投入口側にある弁の有効性を解除してメダルを引抜こうとする者を排除することができないという問題があった。
【０００９】
このため、メダルが投入口から投入され、ディスク等により、再循環等されて使用されるような場合には、不正メダルの選別を認証処理により強化すると共に、メダルの引き抜きを的確に防止することのできる装置の開発が望まれていた。
【００１０】
そこで、本発明は以上の点に鑑みてなされたものであり、不正な遊技媒体（例えば、メダル）の選別を強化すると共に、遊技媒体の引き抜きを的確に防止することのできる遊技媒体貸出機を提供することを課題とする。
【００１１】
【課題を解決するための手段】
本願に係る発明は、上記課題を解決するために、所定の遊技機において投入金額に応じた遊技を行うための価値又は所定の識別子を含む遊技情報が記憶された遊技媒体（例えば、メダル３０）を払出口（例えば、払出口５２）から払い出して遊技者に貸し出す遊技媒体貸出機（例えば、遊技媒体貸出機２０）であって、投入口（例えば、投入口５３）から遊技媒体を投入する方向に対して奥側に開閉可能に設けられ、閉状態になることにより通路に沿って流下する遊技媒体の進行を停止する第一ゲート（例えば、第一ゲート５０ｅ）と、遊技媒体を投入する方向に対して第一ゲートよりも手前側に開閉可能に設けられ、閉状態になることにより遊技媒体の引き抜きを防止する第二ゲート（例えば、第二ゲート５０ｆ）と、通路上にある遊技媒体を検知する遊技媒体検知部（例えば、遊技媒体検知部５０ｈ）と、遊技媒体検知部の検知に基づいて、第一ゲートで停止された遊技媒体に記憶されている遊技情報を取得する遊技情報取得部（例えば、遊技情報取得部４２）と、遊技情報取得部で取得された遊技情報に含まれる識別子に基づいて、識別子の認証を実行する認証実行部（例えば、認証実行部４３）と、認証実行部で実行された認証の結果に応じて、第一ゲートを開状態となるように制御すると共に、第二ゲートを閉状態となるように制御するゲート制御部（例えば、認証制御部４１）とを備えることを特徴とする。
【００１２】
このような本発明によれば、投入口から遊技媒体を投入する方向に対して奥側に開閉可能に設けられ、閉状態になることにより通路に沿って流下する遊技媒体の進行を停止する第一ゲートと、遊技媒体を投入する方向に対して第一ゲートよりも手前側に開閉可能に設けられ、閉状態になることにより遊技媒体の引き抜きを防止する第二ゲートと、通路上にある遊技媒体を検知する遊技媒体検知部と、遊技媒体検知部の検知に基づいて、第一ゲートで停止された遊技媒体に記憶されている遊技情報を取得する遊技情報取得部と、遊技情報取得部で取得された遊技情報に含まれる識別子に基づいて、識別子の認証を実行する認証実行部と、認証実行部で実行された認証の結果に応じて、第一ゲートを開状態となるように制御すると共に、第二ゲートを閉状態となるように制御するゲート制御部とが備えられたため、不正な遊技媒体（例えば、メダル）の選別を強化すると共に、メダルの引き抜きを的確に防止することができる。
【００１３】
上記発明においては、認証実行部で実行された認証の結果に応じて、認証の結果を報知する報知手段を有することが好ましい。この場合には、報知手段が認証の結果を報知するため、遊技場の従業員は、その報知の結果を知ることにより不正行為を行っている者を迅速に排除することができる。
【００１４】
なお、上記発明において認証実行部は、遊技媒体を製造した製造業者を示す製造業者コード、遊技媒体の製造過程で連続的に付されるコードを示す製造コード、遊技媒体のバージョンを示すバージョンコード、遊技媒体を使用する遊技場を特定するための遊技場コード、遊技媒体を使用する遊技媒体貸出機を特定するための装置コード、所定の遊技機において投入金額に応じた遊技を行うための価値を示す価値コード、遊技媒体の使用可能な期限を示す期限コード又は遊技媒体に対する価値（例えば、１０００円分等）を示す価値コードの少なくとも一のコード（識別子）が予め設定した設定コードと一致しているか否かにより認証を実行しても良い。この場合には、特定の組合せを有する各識別子と予め設定した設定コードとが一致しているか否かにより認証が実行されるため、認証の信頼性を高めることができる。
【００１５】
なお、ゲート制御部は、認証実行部で実行された認証の結果に応じて、第二ゲートを閉状態にしてから、第一ゲートを開状態にしてもよい。
【００１６】
【発明の実施の形態】
（遊技媒体貸出機の基本構成）
本発明に係る遊技媒体貸出機２０について図面を参照しながら説明する。図１は、遊技機１０と遊技媒体貸出機２０との一例を示す正面図である。
【００１７】
本実施形態に係る遊技機１０は、遊技媒体であるメダル３０の投入を投入口５３（後述する図２を参照）により受け付け、遊技者がスタートレバー１０ｂを叩いたときに各リール１０ａを回転させる。遊技機１０は、各リール１０ａの回転が停止ボタン１０ｃの押圧操作で個別に停止され、各リール１０ａに付された絵柄が予め定められた特定の態様となった場合に、所定の遊技価値を付与する。この遊技機１０は、例えば、遊技場に配置されているゲーム機、回胴式遊技機（例えば、スロットマシン）等が挙げられる。
【００１８】
ここで、遊技価値の付与は、所定のメダルを払い出すこと又は所定の枚数のメダルに相当する大きさを付与することを意味する。なお、本実施形態における遊技媒体には、例えば、メダル３０、遊技球等が含まれる。本実施形態に係る遊技媒体は、メダル３０を用いるものとする。
【００１９】
この遊技機１０は、前面が開口した矩形を呈するボックス状の本体と、その前面に垂直軸周りに回動可能に設けられた前扉とからなり、前扉を開けることにより本体内部にある各機器の点検又は修理等をすることができる。この本体の内部には、三つのリール、各種の記憶・演算・制御等を行う制御部等（いずれも図示せず）が組み込まれている。
【００２０】
図２は、遊技媒体貸出機２０の一例を示す斜視図である。本実施形態に係る遊技媒体貸出機２０は、所定の遊技機１０において投入金額に応じた遊技を行うための価値又は所定の識別子を含む遊技情報が記憶されたメダル３０を払出口５２から払い出して遊技者に貸し出すものである。
【００２１】
すなわち、遊技媒体貸出機２０は、有価価値の大きさを特定可能な有価価値媒体を受け付け、受け付けた有価価値媒体から特定される有価価値の大きさを識別し、所定の遊技情報をメダル３０に記憶させて、そのメダル３０を払い出し、又は払い出したメダル３０の投入を受け付けるものである。
【００２２】
ここで、メダル３０には、ＲＯＭ（リードオンメモリ）及びＲＡＭ（ランダムアクセスメモリ）が備えられている。ＲＯＭには、例えば、メダル３０を製造した製造業者を示す製造業者コード、メダル３０の製造過程で連続的に付されるコードを示す製造コード又はメダル３０のバージョンを示すバージョンコードを含む識別子が記憶されている。
【００２３】
また、ＲＡＭには、例えば、メダル３０を使用する遊技場を特定するための遊技場コード、メダル３０を使用する遊技媒体貸出機２０を特定するための装置コード、所定の遊技機１０において投入金額に応じた遊技を行うための価値を示す価値コード、メダル３０の使用可能な期限を示す期限コード又はメダル３０に対する価値（例えば、１０００円分等）を示す価値コードを含む識別子が記憶されている。後述する遊技情報取得部４２は、通信回線を介して、上記識別子を含む遊技情報を取得する。
【００２４】
図２に示すように、遊技媒体貸出機２０の前面５１（遊技媒体貸出機２０の正面側の面）には、払出口５２と、投入口５３と、紙幣挿入口５４とが備えられている。この投入口５３は、本実施形態では、払出口５２の長手方向（上下方向）に沿って配設されている。また、図２に示すように、遊技媒体貸出機２０には、遊技媒体処理機５０、紙幣処理部５５、これらを制御する制御部等が組み込まれている。
【００２５】
払出口５２は、メダル３０を払い出すものである。投入口５３は、払い出されたメダル３０の投入を受け付けるものである。払出口５２及び投入口５３は、その背後に於いて遊技媒体処理機５０と連通している。また、紙幣挿入口５４は、紙幣の挿入を受け入れるものである。この紙幣挿入口５４は、その背後に於いて紙幣処理部５５と連通している。
【００２６】
図３は、遊技媒体貸出機２０、認証装置４０及び遊技機１０の構成を示すブロック図である。図３に示すように、遊技媒体貸出機２０は、紙幣処理部５５と、遊技媒体貸出制御部６０と、遊技媒体処理機５０と、遊技媒体処理機５０とが備えられている。この遊技媒体貸出機２０には、後述する認証装置４０が含まれていてもよい。
【００２７】
遊技媒体貸出制御部６０は、遊技媒体貸出機２０の全体を制御するものである。紙幣処理部５５は、現金である紙幣（例えば、千円紙幣）を受け付ける処理を行うものである。遊技媒体貸出制御部６０は、紙幣処理部５５で紙幣の価値の大きさを識別する。また、硬貨の場合も同様である。
【００２８】
この紙幣処理部５５には、上述したように、紙幣の挿入を受け付ける紙幣挿入口５４、受け付けた紙幣が正規の紙幣か否かを識別する識別機等が備えられている。なお、紙幣処理部５５は、紙幣を受け付け、必要に応じて釣銭を払い出すものであってもよい。
【００２９】
遊技媒体処理機５０は、遊技媒体貸出制御部６０からの要求に応じて、メダル３０に遊技情報を記憶させること、ディスク５０ａを回転させて、受入部５０ｂにあるメダル３０（挿入された金額に応じたメダル３０）を払出口５２に送出すること、又は投入口５３から投入されたメダル３０を受入部５０ｂにある固定部材（図示せず）で固定させることを含む処理を実行するものである。
【００３０】
図３に示すように、本実施形態に係る遊技媒体処理機５０は、ディスク５０ａと、受入部５０ｂと、通路部５０ｃと、ゲート固定部５０ｄと、第一ゲート５０ｅと、第二ゲート５０ｆと、通路部５０ｇと、遊技媒体検知部５０ｈと、位置検知部５０ｉとが備えられている。なお、ディスク５０ａを回転駆動する電動モータ、受入部５０ｂにメダル３０を受け入れる機構、受入部５０ｂに受け入れられたメダル３０を固定・開放する機構等の周辺機構（図示せず）も組み込まれている。
【００３１】
受入部５０ｂは、ディスク５０ａの円周に沿って配設され、メダル３０を受け入れるものである。通路部５０ｃは、メダル３０の払出方向に延設され、受入部５０ｂから送出されたメダル３０の通路を形成するものである。ゲート固定部５０ｄは、メダル３０の投入方向に延設され、第一ゲート５０ｅ及び第二ゲート５０ｆを固定するものである。
【００３２】
通路部５０ｇは、メダル３０の投入方向に延設され、投入口５３から投入されたメダル３０の通路を形成するものである。この通路部５０ｇは、投入口５３から流下するメダル３０を受入部５０ｂに誘導するものでもある。この通路部５０ｇには、後述する図４に示すように、メダル３０を誘導可能にする溝が設けられている。
【００３３】
第一ゲート５０ｅは、投入口５３からメダル３０を投入する方向に対して奥側に開閉可能に設けられ、閉状態になることにより通路に沿って流下するメダル３０の進行を停止するものである。第二ゲート５０ｆは、メダル３０を投入する方向に対して第一ゲート５０ｅよりも手前側に開閉可能に設けられ、閉状態になることによりメダル３０の引き抜きを防止するものである。
【００３４】
図４は、投入口５３からメダル３０を投入する方向とは逆の方向から見たときの第一ゲート５０ｅ、第二ゲート５０ｆ及び通路部５０ｇの構造を示す図である。本実施形態に係る第一ゲート５０ｅ及び第二ゲート５０ｆは、図４に示すように、ゲート固定部５０ｄに一体的に設けられている。なお、第一ゲート５０ｅ及び第二ゲート５０ｆは、ゲート固定部５０ｄに一体的に設けられているものに限定されるものではなく、第一ゲート５０ｅ及び第二ゲート５０ｆが独立に設けられたものであってもよい。
【００３５】
具体的には、第一ゲート５０ｅは、図４に示すように、メダル３０を停止可能な壁体が、ゲート固定部５０ｄの軸（メダル３０の投入方向に沿う軸）に対して直角方向にゲート固定部５０ｄに立設されたものである。この壁体がメダル３０を停止させる位置関係にあれば、第一ゲート５０ｅは閉状態にあることを意味する（図４中の実線部分を参照）。また、この壁体がメダル３０を通過させる位置関係にあれば、第一ゲート５０ｅは開状態にあることを意味する（図４中の破線部分を参照）。
【００３６】
一方、第二ゲート５０ｆは、メダル３０の引き抜きを防止可能な壁体が、前記直角方向とは逆の方向にゲート固定部５０ｄに立設されたものである。この壁体がメダル３０の引き抜きを防止する位置関係にあれば、第二ゲート５０ｆは閉状態にあることを意味する。また、この壁体がメダル３０の引き抜きを防止しない位置関係にあれば、第二ゲート５０ｆは開状態にあることを意味する。
【００３７】
したがって、ゲート固定部５０ｄの軸（メダル３０の投入方向に沿う軸）が駆動装置４４の駆動により回転したときは、第一ゲート５０ｅ及び第二ゲート５０ｆは、ゲート固定部５０ｄの軸の回転に伴なって、上記開状態又は閉状態になる。なお、初期状態では、第一ゲート５０ｅが閉状態（メダル３０の進行を停止する状態）、第二ゲート５０ｆが開状態（メダル３０の引き抜きを防止しない状態）となっている。
【００３８】
上記の如く、第一ゲート５０ｅ及び第二ゲート５０ｆがゲート固定部５０ｄに一体的に形成されており、第一ゲート５０ｅ及び第二ゲート５０ｆの立設方向が互いに逆方向となっている。よって、第一ゲート５０ｅ及び第二ゲート５０ｆの位置関係によっては、第一ゲート５０ｅが閉状態となり、他方の第二ゲート５０ｆが開状態となる（後述する図５参照）。この場合には、第一ゲート５０ｅがメダル３０を停止させる。
【００３９】
同様にして、第一ゲート５０ｅ及び第二ゲート５０ｆの位置関係によっては、第一ゲート５０ｅが開状態となり、他方の第二ゲート５０ｆが閉状態となる（後述する図６参照）。この場合には、第二ゲート５０ｆがメダル３０の引き抜きを防止する。
【００４０】
このゲート固定部５０ｄの軸が回転することにより、第一ゲート５０ｅ及び第二ゲート５０ｆは、メダル３０の停止又はメダル３０の引き抜きのいずれか一方の状態（ゲート固定状態）にすることができる。また、このゲート固定状態が確立するにはゲート固定部５０ｄの軸が回転するだけである。これにより、第一ゲート５０ｅ及び第二ゲート５０ｆの周辺機構が簡素化され、製造者は製造コストを低減させることができる。
【００４１】
遊技媒体検知部５０ｈは、通路上にあるメダル３０を検知するものである。この遊技媒体検知部５０ｈは、メダル３０を投入する投入方向に対して第一ゲート５０ｅよりも手前側に設けられている。この遊技媒体検知部５０ｈは、投入口５３に投入されたメダル３０を検知し、検知した信号を認証制御部４１に出力する。
【００４２】
位置検知部５０ｉは、第一ゲート５０ｅ又は第二ゲート５０ｆの位置関係（開状態又は閉状態）を検知するものである。本実施形態に係る位置検知部５０ｉは、駆動装置４４の近傍に設けられている。遊技媒体検知部５０ｈ，位置検知部５０ｉは、例えば、フォトセンサ、又は物理的にメダル３０を検知する部材等が挙げられる。具体的に、位置検知部５０ｉは、駆動装置４４を構成するソレノイドの位置関係により、第一ゲート５０ｅ又は第二ゲート５０ｆの位置関係（開状態又は閉状態）を検知し、検知した信号を認証制御部４１に出力する。
【００４３】
前記認証装置４０は、本実施形態では、認証制御部４１と、遊技情報取得部４２と、認証実行部４３と、駆動装置４４と、不正対応処理部４５とを備えている。遊技情報取得部４２は、遊技媒体検知部５０ｈの検知に基づいて、第一ゲート５０ｅで停止されたメダル３０に記憶されている遊技情報を取得するものである。  具体的には、先ず遊技媒体検知部５０ｈが投入口５３に投入されたメダル３０を検知する。この遊技媒体検知部５０ｈから検知信号が入力された認証制御部４１は、メダル３０に記憶されている遊技情報を受信させるための受信命令信号を遊技情報取得部４２に出力する。この遊技情報取得部４２は、入力された受信命令信号に基づいて、第一ゲート５０ｅの位置で停止しているメダル３０に記憶された遊技情報を取得する。この遊技情報取得部４２は、受信した遊技情報を認証実行部４３に出力する。
【００４４】
認証実行部４３は、遊技情報取得部４２で取得された遊技情報に含まれる識別子（コード）に基づいて、その識別子（コード）の認証を実行するものである。具体的に、認証実行部４３は、メダル３０を製造した製造業者を示す製造業者コード、メダル３０の製造過程で連続的に付されるコードを示す製造コード、メダル３０のバージョンを示すバージョンコード、メダル３０を使用する遊技場を特定するための遊技場コード、メダル３０を使用する遊技媒体貸出機２０を特定するための装置コード、所定の遊技機１０において投入金額に応じた遊技を行うための価値を示す価値コード、メダル３０の使用可能な期限を示す期限コード又はメダル３０に対する価値（例えば、１０００円分等）を示す価値コードの少なくとも一のコード（識別子）が予め設定した設定コードと一致しているか否かにより認証を行う。
【００４５】
この認証実行部４３は、上記少なくとも一のコードが予め設定した設定コードと一致している場合には、入力されたコードが正常なメダル３０であると判断する（認証成功）。一方、認証実行部４３は、上記少なくとも一のコードが予め設定した設定コードと一致していない場合には、入力されたコードが不正常なメダル３０であると判断する（認証不成功）。
【００４６】
駆動装置４４は、ゲート固定部５０ｄの軸（メダル３０の投入方向に沿う軸）を回転させるものである。この駆動装置４４は、ソレノイド、歯車を含む機構で構成される。具体的には、ゲート固定部５０ｄの周囲には第１の歯車が配設され、その第１の歯車と歯合する位置関係となるように第２の歯車がソレノイドの軸心と同一となるようにソレノイドに配設されている。
【００４７】
そして、認証制御部４１からの駆動指示により、ソレノイドが突出されたときは、その突出に伴なって、第２の歯車が第１の歯車に回転力を伝達する。この第２の歯車から所定の回転力を受けた第１の歯車は、その回転力によりゲート固定部５０ｄの軸（メダル３０の投入方向に沿う軸）を回転する。また、これらと逆のことが行われれば、ゲート固定部５０ｄの軸は逆に回転する。
【００４８】
認証制御部４１（ゲート制御部）は、認証実行部４３で実行された認証の結果に応じて、上記駆動装置４４を介して、第一ゲート５０ｅを開状態（メダル３０を通過させる状態）となるように制御すると共に、第二ゲート５０ｆを閉状態（メダル３０の引き抜きを防止する状態）となるように制御するものである。なお、認証制御部４１は、認証実行部４３で実行された認証の結果に応じて、第二ゲート５０ｆを閉状態にしてから、第一ゲート５０ｅを開状態にしてもよい。
【００４９】
この認証制御部４１は、遊技媒体検知部５０ｈでメダル３０が検知されてから所定の時間が経過した場合には、第一ゲート５０ｅを閉状態（メダル３０を停止させる状態）となるように制御すると共に、第二ゲート５０ｆを開状態（メダル３０の引き抜きを防止しない状態）となるように制御する。なお、認証制御部４１は、第一ゲート５０ｅが閉状態（メダル３０を停止させる状態）、第二ゲート５０ｆが開状態（メダル３０の引き抜きを防止しない状態）となるように初期設定する。
【００５０】
また、認証の結果が認証成功である場合には、認証制御部４１は、遊技情報取得部４２から入力された遊技情報を遊技機１０に送信する。この認証制御部４１から遊技情報を受信した遊技機１０は、受信した遊技情報に基づいて遊技者による遊技を可能にする。
【００５１】
更に、認証制御部４１は、認証実行部４３で実行された認証の結果に応じて、その認証の結果を報知させる報知命令信号を不正対応処理部４５に出力する。この不正対応処理部４５（報知手段）は、認証制御部４１から入力された報知命令信号に基づいて、認証の結果を報知する。
【００５２】
具体的に、認証の結果が認証成功である場合には、不正対応処理部４５は、認証が成功したことをランプ、音等で報知する。一方、認証の結果が認証不成功である場合には、不正対応処理部４５は、認証が不成功であることをランプ、音等で報知すること、又は投入されたメダル３０を返却口（図示せず）に排出すること、投入されたメダル３０を収納箱（図示せず）に収納することを行う。
【００５３】
図５及び図６は、遊技媒体処理機５０の内部におけるメダル３０の流れを示す図である。具体的には、紙幣処理部５５が有価価値媒体として現金を受け付けた場合には、遊技媒体処理機５０は、受け付けた現金から特定される有価価値の大きさである現金の金額（例えば、千円）を識別し、所定の遊技情報をメダル３０に記憶させる。
【００５４】
そして、ディスク５０ａの回転により、受入部５０ｂに受け入れられたメダル３０（図５中の”▲１▼”のメダル３０）が通路部５０ｃの一端近傍に到達すると、そのメダル３０が受入部５０ｂにある固定部材（図示せず）から開放される。この固定部材から開放されたメダル３０は、受入部５０ｂから転がり落ちて、通路部５０ｃを介して払出口５２へと移動する（図５中の”▲２▼”のメダル３０）。
【００５５】
遊技者は、払出口５２から払い出されたメダル３０を指で挟持し、挟持したメダル３０を投入口５３に投入する（図５中の”▲３▼”のメダル３０）。投入口５３から投入されたメダル３０は、閉状態となっている第一ゲート５０ｅの箇所で停止する（図５中の”▲４▼”のメダル３０）。そして、停止したメダル３０の認証が行われた場合には、ゲート固定部５０ｄが１８０度回転し、メダル３０が通路部５０ｇを介して受入部５０ｂに固定される（図６中の”▲５▼”のメダル３０）。
【００５６】
（遊技媒体貸出装置による遊技媒体貸出制御方法）
本実施形態に係る遊技媒体貸出装置による遊技媒体貸出制御方法は、以下の手順により実施することができる。
【００５７】
図７は、本実施形態に係る遊技媒体貸出制御方法の流れを示す図である。図７に示すように、先ず、認証制御部４１が第一ゲート５０ｅ及び第二ゲート５０ｆを初期状態に設定する（Ｓ１０１）。具体的には、遊技媒体検知部５０ｈがメダル３０の通過を検知していないときは、認証制御部４１は、駆動装置４４を介して、第一ゲート５０ｅが閉状態（メダル３０を停止させる状態）、第二ゲート５０ｆが開状態（メダル３０の引き抜きを防止しない状態）となるように位置調整を行う。この認証制御部４１は、位置検知部５０ｉからの検知信号により上記初期状態となっていることを確認する。
【００５８】
次いで、認証制御部４１は、メダル３０が遊技媒体検知部５０ｈを通過したか否かを監視する（Ｓ１０２）。このＳ１０２の処理に於いて、認証制御部４１がメダル３０の通過を検出したときは、認証実行部４３は、遊技情報に含まれる識別子の認証を実行する（Ｓ１０３）。
【００５９】
具体的に、メダル３０の通過を検出した認証制御部４１は、メダル３０に記憶されている遊技情報を受信させるための受信命令信号を遊技情報取得部４２に出力する。そして、遊技情報取得部４２は、入力された受信命令信号に基づいて、第一ゲート５０ｅの位置で停止しているメダル３０に記憶された遊技情報を取得する。この遊技情報取得部４２は、受信した遊技情報を認証実行部４３に出力する。
【００６０】
その後、認証実行部４３は、受信した遊技情報に含まれる識別子に基づいて、その識別子の認証処理を実行する。そして、認証の結果が認証成功（正常なメダル３０）である場合（Ｓ１０４の「ＹＥＳ」）には、認証制御部４１は、上記駆動装置４４を介して、第一ゲート５０ｅを開状態（メダル３０を通過させる状態）となるように制御すると共に、第二ゲート５０ｆを閉状態（メダル３０の引き抜きを防止する状態）となるように制御する（Ｓ１０５）。
【００６１】
また、認証の結果が認証成功である場合には、認証制御部４１は、遊技情報取得部４２から入力された遊技情報を遊技機１０に送信する。この認証制御部４１から遊技情報を受信した遊技機１０は、受信した遊技情報に基づいて遊技者による遊技を可能にする。
【００６２】
一方、認証の結果が認証不成功（不正常なメダル３０）である場合（Ｓ１０４の「ＮＯ」）には、認証制御部４１は、駆動装置４４を介して、第一ゲート５０ｅを開状態（メダル３０を通過させる状態）となるように制御すると共に、第二ゲート５０ｆを閉状態（メダル３０の引き抜きを防止する状態）となるように制御し、不正対応処理部４５に不正対応処理を実行させる。
【００６３】
この不正対応処理部４５は、メダル３０が不正常であることをランプ、音等で報知すること、又は投入されたメダル３０を返却口（図示せず）に排出すること、投入されたメダル３０を収納箱（図示せず）に収納することを行う。なお、不正対応処理部４５は、メダル３０が正常であることをランプ、音等で報知してもよい。
【００６４】
（遊技媒体貸出機による作用及び効果）
このような本願に係る発明によれば、認証制御部４１が、認証実行部４３で実行された認証の結果に応じて、第一ゲート５０ｅを開状態となるように制御すると共に、第二ゲート５０ｆを閉状態となるように制御するため、遊技媒体貸出機２０は、認証後のメダルの引き抜きを的確に防止することができる。
【００６５】
また、不正対応処理部４５が認証の結果を報知するため、遊技場の従業員は、その報知の結果を知ることにより不正にメダル３０を引き抜こうとしている者を迅速に排除することができる。
【００６６】
更に、第一ゲート５０ｅ及び第二ゲート５０ｆの開閉状態が確立するにはゲート固定部５０ｄの軸が回転するだけである。これにより、第一ゲート５０ｅ及び第二ゲート５０ｆの周辺機構が簡素化され、製造者は製造コストを低減させることができる。
【００６７】
【発明の効果】
以上説明したように本発明によれば、不正な遊技媒体（例えば、メダル）の選別を強化すると共に、認証後の遊技媒体の引き抜きを的確に防止することができる。また、認証の結果が報知されるため、遊技場の従業員は、その報知の結果を知ることにより不正に遊技媒体を引き抜こうとしている者を迅速に排除することができる。
【図面の簡単な説明】
【図１】本実施形態に係る遊技機及び遊技媒体貸出機の前面を示す正面図である。
【図２】本実施形態における遊技媒体貸出機を示す斜視図である。
【図３】本実施形態における遊技媒体貸出機、認証装置及び遊技機の構造を示すブロック図である。
【図４】本実施形態における第一ゲート及び通路部の位置関係を示す図である。
【図５】本実施形態における遊技媒体処理機の動作原理を示す図である。
【図６】本実施形態における遊技媒体処理機の動作原理を示す図である。
【図７】本実施形態に係る遊技媒体貸出制御方法の流れを示す図である。
【符号の説明】
１０…遊技機、１０ａ…リール、１０ｂ…スタートレバー、１０ｃ…停止ボタン、２０…遊技媒体貸出機、３０…メダル、４０…認証装置、４１…認証制御部、４２…遊技情報取得部、４３…認証実行部、４４…駆動装置、４５…不正対応処理部、５０…遊技媒体処理機、５０ａ…ディスク、５０ｂ…受入部、５０ｃ…通路部、５０ｄ…ゲート固定部、５０ｅ…第一ゲート、５０ｆ…第二ゲート、５０ｇ…通路部、５０ｈ…遊技媒体検知部、５０ｉ…位置検知部、５１…前面、５２…払出口、５３…投入口、５４…紙幣挿入口、５５…紙幣処理部、６０…遊技媒体貸出制御部、
【図１】
2004329319.tif 000003
【図２】
2004329319.tif 000004
【図３】
2004329319.tif 000005
【図４】
2004329319.tif 000006
【図５】
2004329319.tif 000007
【図６】
2004329319.tif 000008
【図７】
2004329319.tif 000009